【手続補正書】
【提出日】平成26年2月25日(2014.2.25)
【手続補正１】
【補正対象書類名】特許請求の範囲
【補正対象項目名】全文
【補正方法】変更
【補正の内容】
【特許請求の範囲】
【請求項１】
加熱定着が可能な作像材料による未定着像が両面に形成された記録材の片面に位置する第一の照射領域にレーザ光を照射する第一の照射手段と、
前記第一の照射領域の裏側に位置する第二の照射領域にレーザ光を照射する第二の照射手段と、
前記第一の照射領域の画像情報を取得する画像情報取得手段と、
前記第一の照射領域を、一若しくは複数の区分領域に区分し、前記画像情報取得手段によって取得された画像情報から当該区分領域内での作像材料による被覆度合に関する被覆情報を取得する被覆情報取得手段と、
この被覆情報取得手段によって取得された被覆情報に基づいて、前記第一の照射手段から前記第一の照射領域に照射され前記記録材を透過するレーザ光の透過度合に関する透過情報を取得する透過情報取得手段と、
前記透過情報取得手段にて取得された透過情報に基づいて、前記第二の照射手段の照射強度を制御する照射制御手段と、
を備えることを特徴とする定着装置。
【請求項２】
請求項１記載の定着装置において、
前記照射制御手段は、予め決められた照射強度から前記透過情報に応じた照射強度を差し引いた照射強度になるように、前記第二の照射手段の照射強度を制御することを特徴とする定着装置。
【請求項３】
請求項１又は２に記載の定着装置において、
前記第一の照射手段は複数のレーザ光源を有し、
前記区分領域は前記複数のレーザ光源のうち一若しくは複数のレーザ光源による照射範囲に対応して区分された領域であることを特徴とする定着装置。
【請求項４】
請求項１乃至３のいずれかに記載の定着装置において、
前記透過情報取得手段は、前記被覆情報取得手段で取得された被覆情報が予め設定された閾値以上の被覆度合である場合は透過度合をゼロとみなすことを特徴とする定着装置。
【請求項５】
請求項１乃至４のいずれかに記載の定着装置において、
前記被覆情報取得手段は、前記被覆情報として、作像材料による被覆率を用いたものであることを特徴とする定着装置。
【請求項６】
請求項１乃至５のいずれかに記載の定着装置において、
前記第一及び第二の照射領域を夫々囲うように設けられ、前記第一及び第二の照射手段夫々から照射されるレーザ光による前記第一及び第二の照射領域からの夫々の反射光を記録材に再び向かわせるように反射させる対構成の反射部材を更に備えることを特徴とする定着装置。
【請求項７】
加熱定着が可能な作像材料による未定着像が両面に形成された記録材の片面に位置する第一の照射領域にレーザ光を照射する第一の照射手段と、
前記第一の照射領域の裏側に位置する第二の照射領域にレーザ光を照射する第二の照射手段と、
前記第一の照射領域の画像情報及び前記第二の照射領域の画像情報を取得する画像情報取得手段と、
前記第一の照射領域及び前記第二の照射領域を、それぞれ互いに対応するように一若しくは複数の区分領域に区分し、対応する区分領域について、前記画像情報取得手段によって取得された画像情報から当該区分領域内での作像材料による被覆度合に関する被覆情報を取得し、前記第一の照射領域と前記第二の照射領域のどちらが大きい被覆度合かを判別する被覆情報取得手段と、
前記それぞれの対応する区分領域について、前記第一の照射領域と前記第二の照射領域のうち被覆度合が小さいと判別された側について、大きいと判別された側の照射手段から照射され前記記録材を透過するレーザ光の透過度合に関する透過情報を取得する透過情報取得手段と、
前記それぞれの対応する区分領域について、前記第一の照射領域と前記第二の照射領域のうち被覆度合が大きいと判別された側について、前記透過情報に応じて対応する照射手段の照射強度を制御する照射制御手段と、
を備えることを特徴とする定着装置。
【請求項８】
記録材を搬送する搬送手段と、
記録材の両面に加熱定着が可能な作像材料による未定着像を形成する画像形成部と、
この画像形成部にて記録材の両面に形成された未定着像を定着する請求項１乃至７のいずれかに記載の定着装置と、
を備えることを特徴とする画像形成装置。
【手続補正２】
【補正対象書類名】明細書
【補正対象項目名】０００５
【補正方法】変更
【補正の内容】
【０００５】
請求項１に係る発明は、加熱定着が可能な作像材料による未定着像が両面に形成された記録材の片面に位置する第一の照射領域にレーザ光を照射する第一の照射手段と、前記第一の照射領域の裏側に位置する第二の照射領域にレーザ光を照射する第二の照射手段と、前記第一の照射領域の画像情報を取得する画像情報取得手段と、前記第一の照射領域を、一若しくは複数の区分領域に区分し、前記画像情報取得手段によって取得された画像情報から当該区分領域内での作像材料による被覆度合に関する被覆情報を取得する被覆情報取得手段と、この被覆情報取得手段によって取得された被覆情報に基づいて、前記第一の照射手段から前記第一の照射領域に照射され前記記録材を透過するレーザ光の透過度合に関する透過情報を取得する透過情報取得手段と、前記透過情報取得手段にて取得された透過情報に基づいて、前記第二の照射手段の照射強度を制御する照射制御手段と、を備えることを特徴とする定着装置である。
【手続補正３】
【補正対象書類名】明細書
【補正対象項目名】０００６
【補正方法】変更
【補正の内容】
【０００６】
請求項２に係る発明は、請求項１に係る定着装置において、前記照射制御手段は、予め決められた照射強度から前記透過情報に応じた照射強度を差し引いた照射強度になるように、前記第二の照射手段の照射強度を制御することを特徴とする定着装置である。
請求項３に係る発明は、請求項１又は２に係る定着装置において、前記第一の照射手段は複数のレーザ光源を有し、前記区分領域は前記複数のレーザ光源のうち一若しくは複数のレーザ光源による照射範囲に対応して区分された領域であることを特徴とする定着装置である。
請求項４に係る発明は、請求項１乃至３のいずれかに係る定着装置において、前記透過情報取得手段は、前記被覆情報取得手段で取得された被覆情報が予め設定された閾値以上の被覆度合である場合は透過度合をゼロとみなすことを特徴とする定着装置である。
請求項５に係る発明は、請求項１乃至４のいずれかに係る定着装置において、前記被覆情報取得手段は、前記被覆情報として、作像材料による被覆率を用いたものであることを特徴とする定着装置である。
請求項６に係る発明は、請求項１乃至５のいずれかに係る定着装置において、前記第一及び第二の照射領域を夫々囲うように設けられ、前記第一及び第二の照射手段夫々から照射されるレーザ光による前記第一及び第二の照射領域からの夫々の反射光を記録材に再び向かわせるように反射させる対構成の反射部材を更に備えることを特徴とする定着装置である。
【手続補正４】
【補正対象書類名】明細書
【補正対象項目名】０００７
【補正方法】変更
【補正の内容】
【０００７】
請求項７に係る発明は、加熱定着が可能な作像材料による未定着像が両面に形成された記録材の片面に位置する第一の照射領域にレーザ光を照射する第一の照射手段と、前記第一の照射領域の裏側に位置する第二の照射領域にレーザ光を照射する第二の照射手段と、前記第一の照射領域の画像情報及び前記第二の照射領域の画像情報を取得する画像情報取得手段と、前記第一の照射領域及び前記第二の照射領域を、それぞれ互いに対応するように一若しくは複数の区分領域に区分し、対応する区分領域について、前記画像情報取得手段によって取得された画像情報から当該区分領域内での作像材料による被覆度合に関する被覆情報を取得し、前記第一の照射領域と前記第二の照射領域のどちらが大きい被覆度合かを判別する被覆情報取得手段と、前記それぞれの対応する区分領域について、前記第一の照射領域と前記第二の照射領域のうち被覆度合が小さいと判別された側について、大きいと判別された側の照射手段から照射され前記記録材を透過するレーザ光の透過度合に関する透過情報を取得する透過情報取得手段と、前記それぞれの対応する区分領域について、前記第一の照射領域と前記第二の照射領域のうち被覆度合が大きいと判別された側について、前記透過情報に応じて対応する照射手段の照射強度を制御する照射制御手段と、を備えることを特徴とする定着装置である。
請求項８に係る発明は、記録材を搬送する搬送手段と、記録材の両面に加熱定着が可能な作像材料による未定着像を形成する画像形成部と、この画像形成部にて記録材の両面に形成された未定着像を定着する請求項１乃至７のいずれかに係る定着装置と、を備えることを特徴とする画像形成装置である。
【手続補正５】
【補正対象書類名】明細書
【補正対象項目名】０００８
【補正方法】変更
【補正の内容】
【０００８】
請求項１に係る発明によれば、記録材の両面にレーザ光を照射する態様で、レーザ光による照射エネルギーの使用効率を高めることができる。
請求項２に係る発明によれば、第二の照射手段の照射強度を簡単に制御することができる。
請求項３に係る発明によれば、本構成を有さない場合に比べて、レーザ光による照射エネルギーの使用効率がより細かな態様で高められる。
請求項４に係る発明によれば、本構成を有さない場合に比べて、レーザ光による照射エネルギーの使用効率がより効果的に高められる。
請求項５に係る発明によれば、本構成を有さない場合に比べて、区分領域での未定着像の条件選択がし易くなる。
請求項６に係る発明によれば、本構成を有さない場合に比べて、レーザ光による照射エネルギーの使用効率をより一層高めることができる。
請求項７に係る発明によれば、記録材の両面にレーザ光を照射する態様で、記録材の両面に形成される画像情報の被覆度合を考慮し、レーザ光による照射エネルギーの使用効率を高めることができる。
請求項８に係る発明によれば、記録材の両面にレーザ光を照射する態様で、レーザ光による照射エネルギーの使用効率を高めることができる画像形成装置を提供できる。
【手続補正６】
【補正対象書類名】明細書
【補正対象項目名】００１１
【補正方法】変更
【補正の内容】
【００１１】
同図において、定着装置は、加熱定着が可能な作像材料による未定着像Ｇ（Ｇ１，Ｇ２）が両面に形成された記録材Ｐの片面に対向して設けられ、記録材Ｐの移動方向に交差する方向に沿って延びる帯状の第一の照射領域ＩＲ１に向かってレーザ光Ｌｉを照射する第一の照射手段１と、記録材Ｐの他の片面に対向して設けられ、第一の照射領域ＩＲ１に対応して設けられる帯状の第二の照射領域ＩＲ２に向かってレーザ光Ｌｉを照射する第二の照射手段２と、記録材Ｐの少なくとも片面に形成される未定着像Ｇの画像情報を取得する画像情報取得手段３と、画像情報取得手段３にて取得された画像情報に基づき、当該画像情報が取得された面に対応する第一又は第二の照射手段１，２によるレーザ光Ｌｉの照射領域ＩＲを一若しくは複数の区分領域Ｒ（例えばＲａ〜Ｒｅ）に区分し、当該区分領域Ｒ内での作像材料による被覆度合に関する被覆情報を取得するように判別する被覆判別手段４と、被覆判別手段４によって判別された被覆情報に基づいて記録材Ｐに対するレーザ光Ｌｉの透過度合に関する透過情報を取得するように判別する透過判別手段５と、記録材Ｐの両面に形成される未定着像Ｇの画像位置を照射領域ＩＲとの関係で認識する画像位置認識手段６と、画像位置認識手段６にて認識された未定着像Ｇが照射領域ＩＲに到達した場合の区分領域Ｒに対し、第一及び第二の照射手段１，２の照射エネルギーを設定するに当たり、画像情報取得手段３にて画像情報が取得された面に対応する照射手段１又は２については予め決められた照射エネルギーに設定し、他方の照射手段２又は１については予め決められた照射エネルギーから透過判別手段５にて判別された透過情報に基づく照射エネルギー分を差し引いた値に設定するように、第一及び第二の照射手段１，２を制御する照射制御手段７と、を備える。
【手続補正７】
【補正対象書類名】明細書
【補正対象項目名】００１４
【補正方法】変更
【補正の内容】
【００１４】
画像情報取得手段３は、記録材Ｐの少なくとも片面に形成される未定着像Ｇの画像情報を取得するもので、取得する時期等は特に限定されず、例えば画像一枚分に相当する画像情報を一度に取得するようにしてもよい。
また、被覆判別手段４は、画像情報取得手段３にて取得された画像情報に基づき、当該画像情報が取得された面に対応する照射手段（例えば第一の照射手段１）によるレーザ光Ｌｉの照射領域ＩＲ１の区分領域Ｒ内での作像材料の被覆情報を取得するように判別するもので、被覆情報としては、作像材料の被覆率が挙げられ、被覆度合に影響する因子（色調、画像種等）を加味することは含まれる。また、「区分領域Ｒ」とは、照射領域ＩＲ全体を一つの区分領域Ｒとしてもよいし、照射領域ＩＲを複数に区分した夫々の区分領域Ｒ（例えばＲａ〜Ｒｅ）としてもよいが、照射手段１，２のレーザ光源（例えば１ａ〜１ｅ）毎に対応する領域が最小の区分領域Ｒとなる。
【手続補正８】
【補正対象書類名】明細書
【補正対象項目名】００１５
【補正方法】変更
【補正の内容】
【００１５】
更に、透過判別手段５は、被覆判別手段４による被覆情報に基づいてレーザ光Ｌｉの透過度合に関する透過情報を取得するように判別するものでよいが、例えば記録材Ｐの厚さや種類に応じて夫々の透過情報を判別することが好ましい。また、画像位置認識手段６は、記録材Ｐの未定着像Ｇの画像位置を照射領域ＩＲとの関係で認識するもので、例えば定着前の位置にある未定着像Ｇの位置をセンサ等で確認し、当該未定着像Ｇが照射領域ＩＲに達する時期を例えば記録材Ｐの移動速度等から認識すればよい。
【手続補正９】
【補正対象書類名】明細書
【補正対象項目名】００２９
【補正方法】変更
【補正の内容】
【００２９】
更に、レーザ光Ｌｉによる記録材Ｐの透過光による作像材料の加熱作用を有効に作用させる観点からすれば、次のようにしてもよい。すなわち、加熱定着が可能な作像材料による未定着像Ｇが両面に形成された記録材Ｐの片面に対向して設けられ、記録材Ｐの移動方向に交差する方向に沿って延びる帯状の第一の照射領域ＩＲ１に向かってレーザ光Ｌｉを照射する第一の照射手段１と、記録材Ｐの他の片面に対向して設けられ、第一の照射領域ＩＲ１に対応して設けられる帯状の第二の照射領域ＩＲ２に向かってレーザ光Ｌｉを照射する第二の照射手段２と、記録材Ｐの両面に形成される未定着像Ｇの画像情報を取得する画像情報取得手段３と、画像情報取得手段３にて取得された画像情報に基づき、第一及び第二の照射手段１，２によるレーザ光Ｌｉの照射領域ＩＲを一若しくは複数の区分領域Ｒに区分し、区分領域Ｒ内での作像材料による被覆度合に関する被覆情報を取得するように判別する被覆判別手段４と、この被覆判別手段４によって判別された被覆情報に基づいて記録材Ｐに対するレーザ光Ｌｉの透過度合に関する透過情報を取得するように判別する透過判別手段５と、記録材Ｐの両面に形成される未定着像Ｇの画像位置を照射領域ＩＲとの関係で認識する画像位置認識手段６と、画像位置認識手段６にて認識された未定着像Ｇが照射領域ＩＲに到達した場合の区分領域Ｒに対し、第一及び第二の照射手段１，２の照射エネルギーを設定するに当たり、記録材Ｐの両面での透過情報を考慮し、一方の照射手段１又は２の照射エネルギーと他方の照射手段２又は１の透過情報に基づく照射エネルギー分との総和が、予め決められた照射エネルギーになるように、第一及び第二の照射手段１，２を制御する照射制御手段７と、を備える。
【手続補正１０】
【補正対象書類名】明細書
【補正対象項目名】００３１
【補正方法】変更
【補正の内容】
【００３１】
また、一方の面からのレーザ光Ｌｉによる他方の面への熱伝達を有効に利用する観点から、次のようにしてもよい。すなわち、加熱定着が可能な作像材料による未定着像Ｇが両面に形成された記録材Ｐの片面に対向して設けられ、記録材Ｐの移動方向に交差する方向に沿って延びる帯状の第一の照射領域ＩＲ１に向かってレーザ光Ｌｉを照射する第一の照射手段１と、記録材Ｐの他の片面に対向して設けられ、第一の照射領域ＩＲ１での照射エネルギーによる余熱が保持される範囲で第一の照射領域ＩＲ１より記録材Ｐの移動方向における下流側に変位する位置で第一の照射領域ＩＲ１に対応して設けられる帯状の第二の照射領域ＩＲ２に向かってレーザ光Ｌｉを照射する第二の照射手段２と、記録材Ｐの第一の照射領域ＩＲ１側の片面に形成される未定着像Ｇの画像情報を取得する画像情報取得手段３と、画像情報取得手段３にて取得された画像情報に基づき、画像情報が取得された面に対応する第一の照射領域ＩＲ１を一若しくは複数に区分し、区分領域Ｒ内での作像材料による被覆度合に関する被覆情報を取得するように判別する被覆判別手段４と、被覆判別手段４によって判別された被覆情報に基づいて記録材Ｐに対するレーザ光Ｌｉの透過度合に関する透過情報を取得するように判別する透過判別手段５と、記録材Ｐの両面に形成される未定着像Ｇの画像位置を第一及び第二の照射領域ＩＲ１，ＩＲ２との関係で認識する画像位置認識手段６と、画像位置認識手段６にて認識された未定着像Ｇが第一及び第二の照射領域ＩＲ１，ＩＲ２に夫々到達した場合の区分領域Ｒに対し、第一及び第二の照射手段１，２の照射エネルギーを設定するに当たり、第一の照射手段１については予め決められた照射エネルギーに設定し、第二の照射手段２については予め決められた照射エネルギーから透過判別手段５にて判別された透過情報に基づく照射エネルギー分を差し引いた値に設定するように、第一及び第二の照射手段１，２を制御する照射制御手段７と、を備える。
【手続補正１１】
【補正対象書類名】明細書
【補正対象項目名】００４６
【補正方法】変更
【補正の内容】
【００４６】
本実施の形態の制御装置５０は、画像形成に関わる制御も行うが、ここでは、アレイレーザ４１の照射制御について説明する。
制御装置５０は、記録材Ｐの両面に形成されるトナー像Ｇ（ＧＡ，ＧＢ）の画像データを画像データ入力装置６０からの画像データを取得する取得部５１と、第一の照射領域ＩＲＡ及び第二の照射領域ＩＲＢに対応する大きさを一つの区分領域ＧＡｎ，ＧＢｎとし、取得部５１にて取得された画像データに基づき、この区分領域（本例では第一及び第二の照射領域ＩＲＡ，ＩＲＢに相当する大きさ）内でのトナーの被覆度合に関する被覆情報として被覆率を取得するように判別する被覆判別部５２と、被覆判別部５２にて判別された被覆率情報に基づいて記録材Ｐに対するレーザ光Ｌｉの透過度合に関する透過情報を取得するように判別する透過判別部５３と、記録材Ｐの両面に形成されるトナー像Ｇの画像位置をセンサ５４ａからの情報を基に照射領域ＩＲとの関係で認識する画像位置認識部５４と、画像位置認識部５４にて認識されたトナー像Ｇが照射領域ＩＲに到達した場合の区分領域に対し、第一及び第二のアレイレーザ４１（４１Ａ，４１Ｂ）の照射エネルギーを設定するに当たり、少なくともいずれかの片面に対応するアレイレーザ４１Ａ，４１Ｂを予め決められた照射エネルギーに設定し、他方のアレイレーザ４１Ｂ，４１Ａについては、透過判別部５３で判別された透過度合に基づく照射エネルギー分を差し引いた値を設定する照射制御部５５等で構成されている。